(57)【要約】【課題】 回収容易なゴルフのティーの構造。【解決手段】ティー台１及びピン２から構成し、両端にストッパーを結合した接続紐３を両者を貫通する貫通孔を通して、スライド自在に連結する。ショットする際には、地上に立てたピン２上にティー台１を置き、両者の間を磁石或いは凹凸嵌合構造によりセットする。  ボールを打つとティー１は同時に撃ち飛ばされるが、上記紐の長さ範囲に落下するため、紐を引けば容易に回収することができる。また、打ち飛ばされたストッパー、ティー、紐の方向や位置により打撃の良否を判断することができ、また、予めこれらを打撃の方向に沿っておくことにより、打撃の目標線とすることができる。【選択図】図１
2007195949.tif 000002
【特許請求の範囲】
【請求項１】
ティー台とピンとから構成する分離式ゴルフティーであって、
該ティー台は、ゴルフボールを置く球載置部をなすと共に底部はピン頂部に対する接合部を形成し、
該ピンは、頂部を該ティー台の接合部と相対する接続部とし、
該ピンと該ティー台間を接続紐により接続したことを特徴とするゴルフティー。
【請求項２】
前記ティーは、さらに該ピンを収容して立てる固定台を設け、
該ピン及びティー台にはそれぞれ貫通孔を設けて上記接続紐をスライド可能に挿通すると共に該紐の両端に該貫通孔から抜けないようにストッパーを設け、
該ピン及びティー台の上記接合部には相互に吸着する磁石、又は凹凸嵌合部を設けたことを特徴とする請求項１記載のゴルフティー。
【請求項３】
上記ティー台が複数であり、ピンを挟んでそれぞれ接続紐の両側に設けられ、該紐を該ピンに設けた複数の貫通孔を挿通し、その胴部を巻いて配置したことを特徴とする請求項１記載のゴルフティー。
【発明の詳細な説明】
【技術分野】
【０００１】
本発明は、ゴルフのティーの構造に関する。特に、分離式のティー台とピンは回収し再使用が可能で、ピンは様々な高さのティー台を組合せ使用することができ、ティー台が落下した方向により使用者はショットの良し悪しを判断することができるゴルフのティーの構造に係る。
【背景技術】
【０００２】
ゴルフでティーショットを打つ時、一般にはゴルフボールをティー(GOLF TEE)上に置きショットの便を図る。しかし、ゴルフというスポーツには体型、心理、クラブ、或いはスイングの習慣など様々な素因が関わっている。
一般に公知のティーは一体成型品で、通常は硬質の木材或いはプラスチック材料により加工される。その欠点は球載置部が長期間の使用により折れ易く、しかも打撃者のスイング後に折れ易いということである。しかも、打撃者がスイングし、打撃すると同時にティーも飛び四週へと跳ね飛んで行くため、打撃者はあちらこちらにティーを探し回らなければならず、うんざりし、また時間の無駄である。
そのため、業者は自動回復構造のゴルフティーを開発した。公知のティーの立体分解図である図８に示すように、その球台Aは球載置部A１、第一弾性部品A２、第二弾性部品A３、双バネ定位部品A４、バネ杭定位部品A５、ピン杭部A６により構成する。使用者のショットにより打撃を受けた該球載置部A１は該ピン杭部A６を離脱し、該第一弾性部品A２と該第二弾性部品A３の変形により受けた応力を緩衝し、原状に弾性回復する。
しかし、その構成部品は複雑で、また、単一の部品が損壊すれば、交換不能であるため全体を廃棄せざるを得ない。しかもバネは一定時間の使用により弾性疲労を起こし、使用時の消耗率は極めて高い。
また使用者は練習時にしばしば自身の姿勢と球の動態を参考にする必要があるため、普通、ベテランは自身のティーがティーショットにより打出された時に動かされた位置により、ゴルフボールの回転の方向を評価し、しかもショットの良し悪しを判別することができる。しかし、上記のティーでは、使用者はティーの分離によりショットの優劣を判別することができず、かつ場所に応じて多種の異なる型式、異なる高さのティーを準備しなければならず、経費がかかるため、使用者のニーズを満たすことはできない。
【０００３】
このため、業者はさらに分離型のティーを開発した。該ティーは球載置台とピンにより構成し、球載置台は分離可能という特性を備える。しかし、クラブが球載置台を誤って打撃すると該球載置台は遺失し易く、またボールが打出される時、打撃の瞬間はボール中心の下方を打撃するため、使用者のクラブ或いはゴルフボール自身の回転で該球載置台は前方へと飛び出して面に落下し、球が落下した時は回転力により後方へと回転する。もし、ボール中心の上方を打撃と、ゴルフボール自身の回転により逆時計回りとなり、該球載置台を後方へと飛び出させ地面に落下させる。すなわち、該球載置台が飛ばされる方向により、使用者はボールの回転方向を判別することができ、さらにショットの良し悪しを判別することもできる。しかし、クラブが球載置台を誤って打撃した時には、球載置台の遺失を招くため、使用者は使用時に非常に不便である。
このように、公知のティーの構造は全体的な設計において多くの欠点が存在し、改良が待たれている。
【特許文献１】特開平１０−１５５９５５号公報
【特許文献２】特表２００５−５２８１５０号公報
【発明の開示】
【発明が解決しようとする課題】
【０００４】
公知構造には以下の欠点があった。
すなわちショットと同時にティーも飛び、それを探さなければならないという面倒を解消するため開発された自動回復構造のティーと分離型のティーは共に理想的ではない。自動回復構造のティーでは構成部品が煩雑で、単一の部品が損壊すれば交換不能であるため全体を廃棄せざるを得ず、しかもバネは一定時間の使用により弾性疲労を起こすという欠点が存在する。一方、分離型のティーでは球載置台が遺失し易いという欠点があり、球載置台が飛ばされる方向によりショットの良し悪しを判別するという使用者の技術向上の機会を失ってしまう。
本発明は上記構造の問題点を解決したゴルフのティーの構造を提供するものである。
【課題を解決するための手段】
【０００５】
上記課題を解決するため、本発明は下記のゴルフのティーの構造を提供する。
分離式のティー台とピンからなり、それぞれを貫通する接続紐により、該ティー台と該ピンは相互に連結され、これにより該ティー台は打撃を受けピンを離れる時、該接続紐により該ティー台を引き付け、該ティー台を遺失することはない。
さらに、該ティー台と該ピンは別々に製造、販売、使用されるため、ティー台に予め設定されたピンを組合せ、或いはピンに予め設定されたティー台を組合せ、使用者はクラブに応じて様々な高さのティー台を選択しピンに組合せ使用することができ、これによりピンは多種の形式のティー台を組合せ可能となり、
また、ティー台とピンが相対する接合面上には、それぞれ磁性体とが磁性体を吸引する付着体を設置し、磁性体と付着体の相互吸引を利用して、該ティー台と該ピンは自動的に定位状態を調整可能で、使用の利便性を向上させることができ、
加えてそれは、ティーには複数のティー台を接続可能で、任意のティー台を使用しショット方向の目標線とし、目標に照準を合わせ、ショットの正確性を向上させ、しかも使用者は打撃後のティー台の落下点により自身の姿勢、打撃方向、ゴルフボール自身の回転方向などの情報を判断可能で、使用者は姿勢を修正することができることを特徴とするゴルフのティーの構造である。
【発明の効果】
【０００６】
上記のように、本発明は使用者は打撃後、接続紐がティー台を引き付けることにより、ティー台はクラブに誤って打撃されても遺失することはなく、クラブがティー台を打撃しても軽量なため、打撃が軽減され、ティー台は損壊することがなく、かつティー台は繰り返し使用が可能でティー台の使用寿命を延長することができる。さらに、本発明のピンは使用者が持ち易い接続部を設置するため、携帯と使用に便利である。また本発明は接続紐を利用しティー台とピンを接続するため、ピンは２個或いは２個以上の異なる高さのティー台を組合せ可能で、使用者は適したティー台を選択しショットを行うことができる。
本発明のティー台は結合部において、ピンは接続部において、それぞれ磁性体と該磁性体を吸引する付着体を設置するため、磁力により相互に吸引し、該ティー台とピンは結合定位し、その構造は簡単でしかも使用は非常に便利である。本発明のティーは複数のティー台を設置し、かつティー台を挿通する接続紐のストッパーを利用してショットの目標線とし、該目標線をターゲット線とし、こうして使用者はショット時の打球方向を照準を合わせることができ、或いは任意のティー台を打撃の目標物とし、使用者は目標位置に従いショットを行い、またット後のティー台の落下点はにより自身の姿勢、打撃方向とゴルフボールの回転方向情報を判断することができ、使用者の姿勢を修正することができる。
【発明を実施するための最良の形態】
【０００７】
本発明の第一最適実施例の立体外観図である図１に示すように、本発明のゴルフのティーの構造はティー台１、ピン２、接続紐４により構成する。
該ティー台１の頂部にはゴルフボールを置く球載置部１１を設置し、該ティー台１の結合部１２には磁性体１３を設置する。
該ピン２には接続部２１を設け、該接続部２１には該磁性体１３と相互に吸着し合う付着体２２を設ける。
該接続紐３の一方側は該ティー台１に形成した貫通孔を挿通し、、該接続紐３の反対側は該ピン２に形成した貫通孔をスライド自在に挿通する。
【０００８】
本発明構造の組み立て、使用時には、先ず該ティー台１を該ピン２の接続部２１上に置き、該ティー台１と該ピン２の相対する接合面間の磁性体１３が磁力により該付着体２２を吸着することを利用して組み立て、該ゴルフボール４(図２参照)を該ティー台１の球載置部１１上に置く。
使用者のショットにより飛ばされたティー台１は、該接続紐３を通して該ピンに引き止められ、これにより該ティー台１は該ピン２を離れ地面に落下後も遺失することはない。しかも、ショットによる打撃は軽いティー台のみが受けて飛ばされるため、該ティー台１の受ける打撃力量は小さくて済み、ものため該ティー台１は打撃により損壊することなく、繰り返し使用することができる。
さらに、該ピン２の接続部２１は使用者が持ち易い構造であるため、使用者の携帯と使用の便を図り、しかも該ティー台１の磁性体１３は該ピン２の付着体２２に形成した凹槽内に結合するため、該ティー台１は該ピン２に対して正確に対応し、該ゴルフボール４を安定的に支える。
【０００９】
該ティーのティー台１と該ピン２は別々に製造、販売、使用が可能である。さらに、該ティー台１は使用者の使用するクラブに応じて、該ピン２は異なる高さのティー台１を組合せ、使用者が異なるクラブ(ウッド、或いはアイアンなど)を使用する時、それに適したティー台１を選択し、該ピン２を組合せ使用することができる。こうしてショットの正確さを高める目的を達成する。
上記説明において、該ティー台１の結合部１２、該ピン２の接続部２１にはそれぞれ磁性体１３、及び該磁性体１３と相互に吸引しあう付着体２２を設ける。該磁性体１３と該付着体２２はそれぞれ磁性を備えた材質により製造し、或いは一つは磁性材質、もう一つは磁性材質と吸引する材質として磁性を利用し吸引するようにし、こうして該ティー台１の結合部１２は迅速に該ピン２の接続部２１と結合して位置決めされる。
また、該ティー台１の結合部１２は突状とし、該ピン２の凹状を呈する接続部２１内に結合し、或いは該ティー台１の結合部１２は凹状とし、これに対する該ピン２の接続部２１の突状部に嵌合して結合する。これらの相互嵌合構造として、上記２種の方式は、該ティー台１を該ピン２上に定位する最適実施例で、本発明の特許範囲を限定するものではない。本発明の説明書と図示内容の簡易な修飾も、本発明の特許範囲に含まれるものとする。
【００１０】
本発明のショット前の側面断面図である図２、本発明のショット後の側面断面図である図３に示すように、使用者はゴルフボール４を打撃する時、該ティー台１の磁性体１３は該ピン２の付着台２２から離れ、これにより該ティー台１に対する打撃力を軽減し、該ティー台１は打撃により損壊しにくくなる。こうして該ティー台１は該ピン２を離れ、地面に落下後、使用者は該ティー台１が飛び出し、落下した位置から該ゴルフボール４の回転方向を判断し、使用者はショットの良し悪しを判断することができる。
【００１１】
本発明第二最適実施例の立体外観図である図５に示すように、本発明のティーは該ピン２上に２個の異なる高さのティー台１を接続することができる。２個の異なる高さのティー台１は、接続紐３により連結され、該接続紐３を該ピン２上に巻いて、該各接続紐３末端をそれぞれストッパー３１、３２に接続する。さらに、該ピン２上に１個或いは１個以上の該ティー台１組をセットし、該ティー台１の接続紐３末端に結合されたストッパー３１、３２を目標線上にそれぞれ配置することにより、ショットの目標とする方向を定めるターゲット線を形成することができる。或いは、ピン２上にセットしない方のティー台１を直接目標線上に置き、その目標線に従いショットすることにより、ショット後の該ティー台１の落下の方向、位置から打撃姿勢が正確であるかどうかを判断することができる。これにより使用者に正確なショット情報を提供することができる。
【００１２】
本発明第三最適実施例の側面断面図一である図５、本発明第三最適実施例の側面断面図二である図６に示すように、該ピン２は該接続紐３が貫通する貫通孔２４を設ける。該貫通孔２４は、該ピン２頂部により該ピン２の側辺に貫通し、また該接続紐３は該ティー台１側辺より貫通する貫通孔１４を経由し、さらに該ピン２側辺の貫通孔２４に通す。
さらに、該接続紐３末端にはそれぞれが貫通孔１４、２４の孔径より大きいストッパー３１、３２を設けて、該接続紐３が該ピン２と該ティー台１から離脱することを防止する。したがって、使用者はショット後に該接続紐３を引けば、該接続紐３の他端のストッパー３１がストッパーとなって該ティー台１の貫通孔１４において止まり、ショットにより飛ばされた該ティー台１を回収することができる。また、使用者は該ストッパー３１を目標線上に置いてショットのターゲット線とすることもでき、該接続紐３と該ストッパー３１が形成する目標線を通して、該目標線の方向に照準を合わせることにより、使用者は該目標線の方向に沿ってショットし、打撃方向の正確性を向上させることができる。また、打撃姿勢の修正に参照することも可能で、良好な打撃練習効果を達成することができる。さらには上記説明の接続紐３は金属バネ、ゴム、普通紐などとすることができ、他の応用及び同等効果の構造変化を利用することもできる。これらも本発明の特許範囲に含まれる。
【００１３】
本発明第四最適実施例の側面断面図である図７に示すように、本発明のゴルフのティーの構造は、さらにゴム材質で製造する固定台５を設置することができる。該ゴム材質の固定台５を利用し、該ピン２を収容し、これにより使用者は人口芝或いは練習場の練習マット上にティーを設置する時にも、該ピン２を差込んで練習マットを損傷することを防止することができる。こうして該ピン２を該固定台５上に立てショットを行うことができ、本発明の適用範囲を拡大することができる。
【図面の簡単な説明】
【００１４】
【図１】本発明第一最適実施例の立体外観図である。
【図２】本発明のショット前の側面断面図である。
【図３】本発明のショット後の側面断面図である。
【図４】本発明第二最適実施例の立体外観図である。
【図５】本発明第三最適実施例の側面断面図一である。
【図６】本発明第三最適実施例の側面断面図二である。
【図７】本発明第四最適実施例の側面断面図である。
【図８】公知のティーの立体分解図である。
【符号の説明】
【００１５】
１  ティー台
１１  球載置部
１２  結合部
１３  磁性体
１４  貫通孔
２  ピン
２１  接続部
２２  付着体
２３  穿孔
２４  貫通孔
３  接続紐
３１  ストッパー
３２  ストッパー
４  ゴルフボール
５  固定台
A  ティー
A１  球載置部
A２  第一弾性部品
A３  第二弾性部品
A４  双バネ定位部品
A５  バネ杭定位部品
A６  ピン杭部
【図１】
2007195949.tif 000003
【図２】
2007195949.tif 000004
【図３】
2007195949.tif 000005
【図４】
2007195949.tif 000006
【図５】
2007195949.tif 000007
【図６】
2007195949.tif 000008
【図７】
2007195949.tif 000009
【図８】
2007195949.tif 000010